(57)【特許請求の範囲】
【請求項１】
ベルト本体とバックルとからなり、排便補助に使用するベルトであって、
前記ベルト本体の一端には前記バックルが着脱不能に取付けられており、
前記ベルト本体の他端部には、長さ調節部が設けられており、
前記長さ調節部には、ベルト本体の短手方向に沿って糸で縫った縫い目がベルト本体の長手方向に沿って間隔をあけて設けられており、
かつ、前記バックルの留めピンを差し込むピン孔が複数個、ベルト本体の長さ方向に沿って間隔をあけて設けられている
ことを特徴とする排便用腹部加圧ベルト。
【発明の詳細な説明】
【技術分野】
【０００１】
本発明は、排便用腹部加圧ベルトに関する。さらに詳しくは、本発明は、排便を容易にするために使用する腹部加圧ベルトに関する。
【背景技術】
【０００２】
洋式トイレに座って排便をする際は、力んで腹部に力を入れても、腸を圧迫する力に変換されにくいので、排便を容易にし難いときがある。
この問題の解決に提案されたのが、特許文献１の従来技術である。
この従来技術では、下腹部に巻くベルトと加圧パッドの組合せを内容としており、排便時の力みによる下腹部の膨張を下腹部内部の圧力を高めるように転換して、排便をたやすくしている。
【０００３】
しかるに、前記従来例は、ベルト自体については何ら言及がない。
現実に使用する際は、力みによって下腹部を膨張させると大きな引張り力がベルトに作用するので、ベルトの補強が必要であったり、個人個人の体形が異なることからベルトの長さ調節も大事となってくる。
【０００４】
ベルトの強度に関しては、ウエイトリフティング競技で使うような皮製の高強度なものなら、問題はないが、これは長さ調節できる範囲が短いので万人向けではない。
一方、紳士用ベルトは、ベルト本体とバックルからなるが、バックルはベルト本体の一端に尾錠止め（ピン状の金具）を噛み込ませて結合している。この噛み込みでは腹部を膨張させたときバックルがベルト本体から切り離され、ベルトの役を果たせないことがある。
【先行技術文献】
【特許文献】
【０００５】
【特許文献１】特開２０１９−８８７３８号公報
【発明の概要】
【発明が解決しようとする課題】
【０００６】
本発明は上記事情に鑑み、長さ調節の範囲が広く多数の人に使用でき、強度が充分であり、排便を容易にできる排便用腹部加圧ベルトを提供することを目的とする。
【課題を解決するための手段】
【０００７】
第１発明の排便用腹部加圧ベルトは、ベルト本体とバックルとからなり、排便補助に使用するベルトであって、前記ベルト本体の一端には前記バックルが着脱不能に取付けられており、前記ベルト本体の他端部には、長さ調節部が設けられており、前記長さ調節部には、ベルト本体の短手方向に沿って糸で縫った縫い目がベルト本体の長手方向に沿って間隔をあけて設けられており、かつ、前記バックルの留めピンを差し込むピン孔が複数個、ベルト本体の長さ方向に沿って間隔をあけて設けられていることを特徴とする。
【発明の効果】
【０００８】
第１発明によれば、つぎの効果を奏する。
ａ）バックルはベルト本体に着脱不能とされているので、排便中の使用時にバックルがベルト本体から外れることはない。また、長さ調節部の適所で切断しても、縫い目によって補強されているので、切断端からほころびが生ずることはない。
ｂ）ベルト本体の長さ調節部に設けた複数のピン孔のいずれかを選択的に用いることで、腹囲の異なる多数の人にも使用できる。また、ピン孔同士の間に縫い目を設けたことで、補強されているので、強い加圧によってもピン孔が破れにくく、腹囲に合わせて調節部の先端側を切り取ったとしても、ピン孔囲りが破れにくくなる。
【図面の簡単な説明】
【０００９】
【図１】本発明の一実施形態に係る排便用腹部加圧ベルトＡの平面図である。
【図２】（Ａ）図は図１に示す留めピンのあるバックルを用いた排便用腹部加圧ベルトＡの使用状態説明図、（Ｂ）図は留めピンの無いバックルを用いた排便用腹部加圧ベルトＢの使用状態説明図である。
【図３】便座に座って使用するときの排便用腹部加圧ベルトＡ，Ｂの説明図である。
【発明を実施するための形態】
【００１０】
つぎに、本発明の実施形態を図面に基づき説明する。
本発明に係る排便用腹部加圧ベルトＡ，Ｂ（以下、排便用ベルトという）は、ベルト本体１とバックル２とからなる排便補助に使用するベルトである。
すなわち、通常の紳士ズボンの着用のためではなく、医療補助を目的としたものである。
【００１１】
図１に基づき、第１実施形態の排便用ベルトＡを説明する。
ベルト本体１の一端にはバックル２が取付けられている。バックル２は四角枠状の金属２ａと留めピン２ｂを用いたものが代表的である。なお、留めピン２ｂが無いバックルを用いた排便用ベルトは後述する。
バックル２の取付けは着脱不能の形態が取られている。排便時の力みでバックル２がベルト本体１から外れることが無いようにするためである。着脱は不能でよいので、バックル２の金具をベルト本体１に縫い付ける等の強固な手段を任意に採用するとよい。尾錠止めタイプのバックル２はベルト本体１の端部から外れる可能性があるので推奨されない。
【００１２】
ベルト本体１の他端部には、長さ調節部３が設けられている。長さ調節部３は、適宜のカッターで切断することにより使用者の腹囲に長さを合わすために設けられている。
ベルト本体１は、カッターで切断可能とするため、切り取り可能な織布や不織布等の材質を用いるのが好ましい。
【００１３】
長さ調節部３には、ベルト本体１の短手方向に沿って糸で縫った縫い目４が設けられている。また、この縫い目４はベルト本体１の長さ方向に沿って間隔をあけて、複数個所に設けられている。
ベルト本体１の長さを調節するため、カットする場合は、隣り合う縫い目４，４の間でカットするのが好ましい。そうすると、残った縫い目４がベルト本体１の切断端からのほころびを防止することができる。
【００１４】
長さ調節部３における縫い目４，４の間には、バックル２の留めピン２ｂを差し込むピン孔５が複数個設けられている。
縫い目４がベルト本体１の長さ方向に間隔をあけて設けられているので、ピン孔５もベルト本体１の長さ方向に間隔をあけて設けられている。
【００１５】
つぎに、図２に基づき使用法を説明する。使用する前に、ベルト本体１の長さ調節をして使用者の腹部を充分締め付けるように用意しておく。
図２（Ａ）は、バックル２の留めピン２ｂをベルト本体１のピン孔５に差し込んで使用する状態を示している。この使用法は留めピン２ｂを有するバックル２を用いた排便用ベルトＡに適している。
【００１６】
図２（Ｂ）は、バックル２に留めピンが無いタイプの排便用ベルトＢに使用法を示している。ベルト本体１の先端部はバックル２の枠金で折り返して、面ファスナー６で止めるものである。面ファスナー６は、折り返される手前のベルト本体１の表面と折り返された側のベルト本体１の裏面に、取付けておけばよい。
取付け法は縫製その他任意の手段でよい。面ファスナー６は公知のものでよく、マジックテープ（登録商標）やベルクロ（登録商標）等を用いることができる。
【００１７】
図３は、便器Ｔｂに使用者Ｈが座った状態を示している。この状態で、腹部に本発明の排便用ベルトＡまたはＢを巻き付ける。そして、力む（または息む）と腹部を膨張させようとする外向きの力が、排便用ベルトＡまたはＢによって内向きの力に転換される。これにより、腸を加圧することができるので、排便を容易に行うことができる。
【００１８】
本発明によれば、つぎの効果を奏する。
ａ）バックル２はベルト本体１に着脱不能とされているので、排便中の使用時にバックル２がベルト本体１から外れることはない。
ｂ）長さ調節部３の適所で切断しても、縫い目４によって補強されているので、切断端からほころびが生ずることはない。
ｃ）ベルト本体１の長さ調節部３に設けた複数のピン孔５のいずれかを選択的に用いることで、腹囲の異なる多数の人にも使用できる。
ｄ）ピン孔５，５同士の間に縫い目４を設けたことで、補強されているので、強い加圧によってもピン孔５が破れにくく、腹囲に合わせて長さ調節部３の先端側を切り取ったとしても、ピン孔５囲りが破れにくくなる。
【符号の説明】
【００１９】
１  ベルト本体
２  バックル
３  長さ調節部
４  縫い目
５  ピン孔
６  面ファスナー
【図１】
0006864414.tif 000002
【図２】
0006864414.tif 000003
【図３】
0006864414.tif 000004